(57)【特許請求の範囲】
【請求項１】
利用者によって自機の挿入部に挿入された乗車券の磁気層に記憶された識別情報、効力情報、および前記乗車券がコード券改札機でも使用可能であることを示す所定のフラグを電磁的に取得する取得部と、
前記取得部により取得された識別情報をサーバ装置に送信する通信部と、
前記取得部により前記所定のフラグが取得され、且つ前記効力情報が第１所定条件および第２所定条件を満たすと判定した場合、前記通信部を制御して前記識別情報を前記サーバ装置に送信させ、前記利用者を通過させる状態にし、
前記取得部により前記所定のフラグが取得されなかった場合、または前記効力情報が前記第１所定条件あるいは前記第２所定条件を満たさないと判定した場合、前記通信部に前記識別情報を前記サーバ装置に送信させない処理部と、
を備える自動改札機。
【請求項２】
前記処理部は、
前記取得部により前記所定のフラグが取得されず、且つ前記効力情報が前記第２所定条件を満たすと判定した場合、前記通信部を制御して前記識別情報を前記サーバ装置に送信させず、前記利用者を通過させる状態にし、
前記取得部により前記所定のフラグが取得されず、且つ前記効力情報が前記第２所定条件を満たさないと判定した場合、前記通信部に前記識別情報を前記サーバ装置に送信させず、前記利用者を通過させない状態にする、
請求項１記載の自動改札機。
【請求項３】
利用者によって自機の挿入部に挿入された乗車券の磁気層に記憶された識別情報、効力情報、および前記乗車券がコード券改札機でも使用可能であることを示す所定のフラグを電磁的に取得する取得部と、
サーバ装置により送信された識別情報に基づく情報を受信する通信部と、
前記取得部により前記所定のフラグが取得された場合、前記取得部により取得された識別情報と、前記通信部により前記サーバ装置から取得された情報とが第３所定条件を満たすか否かを判定し、前記第３所定条件を満たすと判定した場合に前記利用者を通過させる状態にし、前記第３所定条件を満たさないと判定した場合に前記利用者を通過させない状態し、
前記取得部により前記所定のフラグが取得されなかった場合、前記取得部により取得された効力情報が第４所定条件を満たすか否かを判定し、前記第４所定条件を満たすと判定した場合に前記利用者を通過させる状態にし、前記第４所定条件を満たさないと判定した場合に前記利用者を通過させない状態にする処理部と、
を備える自動改札機。
【発明の詳細な説明】
【技術分野】
【０００１】
本発明の実施形態は、自動改札機システム、プログラム、乗車券および券売機に関する。
【背景技術】
【０００２】
従来、鉄道等の交通機関等を利用するための乗車券を処理する自動改札機が知られている。乗車券としては、磁気券やＩＣ券の他、符号化されたコード情報が表示された紙券（コード券）が使用される。磁気券改札機は広く普及しているのに対し、コード券改札機は近年になって導入が進められ、或いは導入が検討されている。このため、コード券改札機の導入初期においては、コード券改札機を使用する路線であっても、磁気券改札機しか備えられていない駅が存在することが想定される。この場合、利用者が入場駅で入場できても、出場駅で出場できないという利便性の低い状態が生じ得る。
【先行技術文献】
【特許文献】
【０００３】
【特許文献１】特開２００９−１３４６２９号公報
【発明の概要】
【発明が解決しようとする課題】
【０００４】
本発明が解決しようとする課題は、利用者の利便性を向上させることができる自動改札機システム、プログラム、乗車券および券売機を提供することである。
【課題を解決するための手段】
【０００５】
実施形態の自動改札機システムは、第１の自動改札機と、第２の自動改札機と、サーバ装置と、第３の自動改札機と、第４の自動改札機とを持つ。第１の自動改札機は、第１の取得部、第１の処理部、および第１の通信部を持つ。第１の取得部は、利用者によって自機に提示された乗車券に表示された表示オブジェクトに符号化された識別情報および効力情報を光学的に取得する。第１の処理部は、前記第１の取得部により取得された効力情報に基づいて、前記利用者の入場を許可するか否かを判定する。第１の通信部は、前記第１の取得部により取得された識別情報をサーバ装置に送信する。第２の自動改札機は、第２の取得部、第２の処理部、および第２の通信部を持つ。第２の取得部は、利用者によって自機の挿入部に挿入された乗車券の磁気層に記憶された識別情報および効力情報を電磁的に取得する。第２の処理部は、前記第２の取得部により取得された効力情報に基づいて、前記利用者の入場を許可するか否かを判定する。第２の通信部は、前記第２の取得部により取得された識別情報をサーバ装置に送信する。前記サーバ装置は、前記第１の自動改札機または前記第２の自動改札機から受信した前記識別情報に基づく情報を、第３の自動改札機または第４の自動改札機に送信する。第３の自動改札機は、第３の取得部、第３の通信部、および第３の処理部を持つ。第３の取得部は、少なくとも、利用者によって自機に提示された乗車券に表示された表示オブジェクトに符号化された識別情報を光学的に取得する。第３の通信部は、前記サーバ装置により送信された識別情報に基づく情報を受信する。第３の処理部は、前記第３の取得部により取得された識別情報と前記第３の通信部により受信された情報とに基づいて、前記利用者の出場を許可するか否かを判定する。第４の自動改札機は、第４の取得部、第４の通信部、および第４の処理部を持つ。第４の取得部は、少なくとも、利用者によって自機の挿入部に挿入された乗車券の磁気層に記憶された識別情報を電磁的に取得する。第４の通信部は、前記サーバ装置により送信された識別情報に基づく情報を受信する。第４の処理部は、前記第４の取得部により取得された識別情報と前記第４の通信部により受信された情報とに基づいて、前記利用者の出場を許可するか否かを判定する。
【図面の簡単な説明】
【０００６】
【図１】自動改札機システム１の構成を示す図。
【図２】コード券改札機１００を上方から見た図。
【図３】リーダ１１２を上方から見た図。
【図４】コード券改札機１００の機能構成を示す図。
【図５】磁気券改札機２００を上方から見た図。
【図６】磁気券改札機２００の機能構成を示す図。
【図７】サーバ装置４００の構成の一例を示す図。
【図８】乗車券ＴＩＸの一例を示す図。
【図９】表示オブジェクトＯＢに符号化された情報の一例を示す図。
【図１０】入場駅に設置されたコード券改札機１００により実行される処理の流れを示すフローチャート。
【図１１】入場駅に設置された磁気券改札機２００により実行される処理の流れを示すフローチャート。
【図１２】サーバ装置４００が自動改札機との間で情報を送受信する様子を示す図。
【図１３】管理テーブル４４０の一例を示す図。
【図１４】出場駅に設置されたコード券改札機１００により実行される処理の流れを示すフローチャート。
【図１５】出場駅に設置された磁気券改札機２００により実行される処理の流れを示すフローチャート。
【図１６】入場駅に磁気券改札機２００が設置された場合の自動改札機システム１の処理過程について説明するための図。
【図１７】入場駅にコード券改札機１００が設置された場合の自動改札機システム１の処理過程について説明するための図。
【図１８】自動改札機システム１を導入する場合のシステム状態の遷移の一例を示す図。
【図１９】券売機３００の機能構成の一例を示す図。
【発明を実施するための形態】
【０００７】
以下、実施形態の自動改札機システム、プログラム、乗車券および券売機を、図面を参照して説明する。
【０００８】
各実施形態の自動改札機システムは、表示オブジェクトを表示したコード券を処理する自動改札機（コード券改札機）と、磁気券を処理する自動改札機（磁気券改札機）とが協調して処理を行うことを可能にするものである。
【０００９】
図１は、自動改札機システム１の構成を示す図である。自動改札機システム１は、例えばＡ駅システム５Ａ、Ｂ駅システム５Ｂ、およびＣ駅システム５Ｃと、サーバ装置４００とを備える。Ａ駅システム５ＡからＣ駅システム５Ｃと、サーバ装置４００との間では、ネットワークＮＷを介した通信が行われる。ネットワークＮＷは、例えばＷＡＮ（Wide Area Network）や、ＶＰＮ（Virtual Private Network）、ＬＡＮ（Local Area Network）、専用線等を含む。なお、図１では、３つの駅に備えられる駅システムが存在することを例示したが、自動改札機システム１は、２以上の複数の駅に備えられる駅システムを含んでよい。以下、Ａ駅システム５ＡからＣ駅システム５Ｃを区別しない場合は、単に駅システム５と表記する。また、駅システム５が備える同様の名称である機能構成についても同様に、駅を区別する符号「Ａ」、「Ｂ」または「Ｃ」を省略して説明する。
【００１０】
Ａ駅システム５Ａは、コード券改札機と磁気券改札機が混在した駅システムである。Ａ駅システム５Ａは、例えば中継装置ＲＬＡと、コード券改札機１００Ａ−１から１００Ａ−ｎ（ｎは任意の自然数）と、磁気券改札機２００Ａ−１から２００Ａ−ｎと、券売機３００Ａ−１から３００Ａ−ｎを備える。
【００１１】
Ｂ駅システム５Ｂは、コード券改札機を含み、磁気券改札機を含まない駅システムである。Ｂ駅システム５Ｂは、例えば中継装置ＲＬＢと、コード券改札機１００Ｂ−１から１００Ｂ−ｎと、券売機３００Ｂ−１から３００Ｂ−１とを備える。
【００１２】
Ｃ駅システム５Ｃは、磁気券改札機を含み、コード券改札機を含まない駅システムである。Ｃ駅システム５Ｃは、例えば中継装置ＲＬＣと、磁気券改札機２００Ｃ−１から２００Ｃ−ｎと、券売機３００Ｃ−１から３００Ｃ−ｎとを備える。以下、中継装置ＲＬＡからＲＬＣを、特別に区別しない場合は、単位「中継装置ＲＬ」と称する。また、以下、コード券改札機１００および磁気券改札機２００を、特別に区別しない場合は、単位「自動改札機」と称する。
【００１３】
以下、駅システムを区別せずに説明をおこなう。中継装置ＲＬは、コード券改札機１００または磁気券改札機２００とＬＡＮ等のネットワークを介して通信を行う。また、中継装置ＲＬは、コード券改札機１００または磁気券改札機２００から受信した情報を、ネットワークＮＷを介してサーバ装置４００に送信する。また、中継装置ＲＬは、サーバ装置４００から受信した情報をコード券改札機１００または磁気券改札機２００に送信する。
【００１４】
コード券改札機１００または磁気券改札機２００は、駅の改札口に設けられる。コード券改札機１００は、券売機３００により発行される乗車券ＴＩＸに表示された表示オブジェクトを認識して利用者の通過を制御する。磁気券改札機２００は、券売機３００により発行される乗車券ＴＩＸの磁気層から情報を読み取って利用者の通過を制御する。
【００１５】
「表示オブジェクト」とは、例えば、情報が符号化された二次元のＱＲコード（登録商標）である。なお、表示オブジェクトは、一次元のバーコードであってもよい。表示オブジェクトは、機械によって内容が認識可能であると共に、人が視認することによって内容が認識できないものであれば如何なる態様であってもよい。
【００１６】
また、本実施形態では、券売機３００により発行された乗車券ＴＩＸがコード券改札機１００と磁気券改札機２００とで共通して用いられる。乗車券ＴＩＸは、例えばＱＲコード等の表示オブジェクトが、紙などの媒体の第１面に印刷されると共に、第２面に磁気券として機能するための磁気層が形成された乗車券である。
【００１７】
このような態様の乗車券ＴＩＸは、コード券改札機１００と、磁気券改札機２００とが混在する環境において、好適に使用される。すなわち、この乗車券ＴＩＸを使用して鉄道を利用する利用者は、上記のうち一方の改札機しか設置されていない駅であっても利用することができる。
【００１８】
（コード券改札機１００）
図２は、コード券改札機１００を上方から見た図である。コード券改札機１００は、筐体１１１と、リーダ１１２と、通過センサ１１８−１から１１８−４と、上面表示部１２０と、正面表示部１２２と、扉部１２４Ａおよび１２４Ｂと、制御部１５０とを含んでよいが、これに限られない。
【００１９】
コード券改札機１００のリーダ１１２は、図２のａ方向に通過しようとする利用者によって提示された乗車券ＴＩＸに表示された表示オジェクトを読み取って、読み取った情報を制御部１５０に供給する。
【００２０】
図３は、リーダ１１２を上方から見た図である。リーダ１１２は、タッチ検出センサＳｔと、光学読取部１１４と、ライト１１６とを含んでよいが、これに限られない。タッチ検出センサＳｔは、パネル状に形成され、利用者の体の一部（例えば手）が触れたか否かを検出する検出面を有する。タッチ検出センサＳｔは、利用者が乗車券ＴＩＸをリーダ１１２に提示する際にパネルの検出面に手を触れた場合に、検出面がタッチされている旨を示す検出信号を生成する。これにより、タッチ検出センサＳｔは、利用者によって乗車券ＴＩＸがリーダ１１２に提示されたことを検出する。
【００２１】
タッチ検出センサＳｔは、例えば、抵抗膜型や、表面弾性波型、電磁誘導型、静電容量型等のタッチパネルである。また、タッチ検出センサＳｔは、可視光を透過可能な透明（または半透明）型のパネルであり、これを透過した表示オブジェクトの撮像を可能とする。なお、コード券改札機１００は、タッチ検出センサＳｔに代えて、対象物（例えば手）の接近を検出する接近検出センサにより、利用者によって乗車券ＴＩＸがリーダ１１２に提示された（利用者の手が所定距離以内まで接近した）ことを検出する構成を有してもよい。接近検出センサは、例えば、赤外線センサやステレオカメラ等により実現される。
【００２２】
光学読取部１１４は、ＣＣＤ（Charge Coupled Device）やＣＭＯＳ（Complementary Metal Oxide Semiconductor）等の固体撮像素子を備えたカメラを含む。また、光学読取部１１４は、バーコードリーダのように受光素子と増幅器、情報解読部（デコード部）等を備えるものであってもよい。
【００２３】
光学読取部１１４は、利用者によって、リーダ１１２に表示面を向けて提示された乗車券ＴＩＸに表示された表示オブジェクトを撮像する。光学読取部１１４は、撮像した画像を制御部１５０に供給する。ライト１１６は、光学読取部１１４が乗車券ＴＩＸを撮像する際に、乗車券ＴＩＸに向けて可視光以外の光（例えば赤外光）を照射する。
【００２４】
通過センサ１１８−１から１８−４は、例えばコード券改札機１００の通路側の側面に複数設けられる。複数の通過センサ１１８は、コード券改札機１００により形成された通路内の利用者を検出する。通過センサ１１８は、例えば赤外線センサや、光センサなどで実現される。通過センサ１１８は、対向する補機に設けられた通過センサと連携して通路内の利用者を検出するものであってもよい。なお、コード券改札機１００は、任意の数の通過センサを備えてよい。以下、通過センサを他の通過センサと区別しない場合は、ハイフン（−）以下の符号を省略し、単に通過センサ１１８と表記する。
【００２５】
上面表示部１２０は、リーダ１１２に乗車券ＴＩＸが提示された場合に、制御部１５０によって処理された結果を表示する。正面表示部１２２は、図２のａ方向に通過可能であるか否かを示すマークや図形、文字等を表示する。正面表示部１２２の表示内容または表示の有無は、制御部１５０によって決定される。なお、コード券改札機１００は、音声や、光で情報を出力する情報出力部（不図示）を備えてもよい。この場合、制御部１５０は、情報出力部を制御して、情報出力部に音声や光の点灯等によって情報を出力させる。
【００２６】
コード券改札機１００の制御部１５０は、扉部１２４Ａおよび対向する補機の扉部１２４Ｂを開放状態または閉止状態に制御することで、図２のａ方向に通過しようとしている利用者の通過を許可または禁止する。以下、扉部１２４Ａおよび１２４Ｂを区別しない場合は、ＡまたはＢの符号を省略し、単に扉部１２４と表記する。
【００２７】
なお、図２では、コード券改札機１００がコード券専用機であるものとして説明したが、コード券改札機１００は、ＩＣカードと、コード券との双方を処理可能な併用機であってもよい。また、コード券改札機１００は、利用者の一方向の通過のみ許可するものに限らず、主機と従機を備えることによって、利用者の双方向の通過を許可するものであってもよい。
【００２８】
図４は、コード券改札機１００の機能構成を示す図である。コード券改札機１００の制御部１５０は、記憶部１５２と、画像処理部１５８と、画像判定部１６０と、通過制御部１７０とを含んでよいが、これに限られない。画像処理部１５８、画像判定部１６０、および通過制御部１７０は、ＣＰＵ（Central Processing Unit）等のプロセッサがプログラムを実行することで実現されてよい。また、これらの機能部のうち一部または全部は、ＬＳＩ（Large Scale Integration）やＡＳＩＣ（Application Specific Integrated Circuit）、ＦＰＧＡ（Field-Programmable Gate Array）等のハードウェアで実現されてもよい。リーダ１１２と、画像処理部１５８とを合わせたものが、「第１の取得部」または「第３の取得部」の一例である。画像判定部１６０は、「第１の処理部」または「第３の処理部」の一例である。
【００２９】
記憶部１５２は、例えば、ＲＯＭ（Read Only Memory）、フラッシュメモリ、ＨＤＤ（Hard Disk Drive）、ＳＤカード等の不揮発性の記憶媒体と、ＲＡＭ（Random Access Memory）、レジスタ等の揮発性の記憶媒体とによって実現される。記憶部１５２は、プロセッサが実行するプログラムや、各駅間（または利用距離ごと）の料金が記憶された料金テーブル１５４を格納する他、自機が設置された駅の識別情報や、自機の識別情報、各駅間の距離等を格納する。また、記憶部１５２は、サーバ装置４００から送信された情報を格納する。
【００３０】
画像処理部１５８は、光学読取部１１４により撮像された画像から得られる電子情報に対してデコード等の処理を行い、ビット列などで表されるコンピュータが認識可能な情報に変換する。電子情報とは、例えば、画像の画素情報を配列化した情報である。画像処理部１５８は、乗車券ＴＩＸの第１面に表示された第１の表示オブジェクトに符号化された情報の内容を読み取る。画像処理部１５８は、利用者が利用可能な区間を示す区間情報等を認識する。区間情報とは、乗車券ＴＩＸが発券された駅（入場駅）と出場駅や、乗車券ＴＩＸが発券された駅から利用できる距離等を示す情報である。なお、このような画像解析の機能を、光学読取部１１４が備えてもよい。
【００３１】
画像判定部１６０は、サーバ装置４００から取得した情報および画像処理部１５８により認識された区間情報に基づいて、利用者が入場可能か否か、または出場可能か否かを判定する。
【００３２】
通過制御部１７０は、画像判定部１６０の判定結果に基づいて、利用者の通過を許可、または禁止する制御を実行する。また、通過制御部１７０は、画像処理部１５８によって表示オブジェクトが認識されない場合、または認識された表示オブジェクトがデコードされない場合、通過センサ１１８により利用者が検出されると、利用者の通過を禁止する制御を行う。利用者の通過を禁止する制御をする場合、通過制御部１７０は、扉部１２４を閉止状態にしたり、上面表示部１２０に通過を不許可とする表示をさせたりする。利用者の通過を許可する制御をする場合、通過制御部１７０は、扉部１２４を開放状態にしたり、上面表示部１２０に通過を許可とする表示をさせたりする。
【００３３】
また、コード券改札機１００は、中継装置ＲＬを介してサーバ装置４００と通信するコード券改札機側通信部１８０を備える。コード券改札機側通信部１８０は、画像処理部１５８により読み取られた情報や、画像判定部１６０の処理結果、自機の識別情報等をサーバ装置４００に送信する。コード券改札機側通信部１８０は、「第１の通信部」または「第３の通信部」の一例である。
【００３４】
（磁気券改札機２００）
図５は、磁気券改札機２００を上方から見た図である。磁気券改札機２００は、例えば、筐体２１１と、通過センサ２１８−１から２１８−４と、上面表示部２２０と、正面表示部２２２と、扉部２２４Ａおよび２２４Ｂと、挿入口２２６と、排出口２２８と、磁気券リーダライタ２３２と、制御部２５０とを備える。なお、以下、通過センサ２１８−１から２１８−４を、区別しない場合は、ハイフン（−）以下の符号を省略し、単に通過センサ２１８と表記する。
【００３５】
通過センサ２１８は、例えば磁気券改札機２００の通路側側面に複数設けられる。複数の通過センサ２１８は、磁気券改札機２００により形成された通路内の利用者を検出する。通過センサ２１８は、例えば赤外線センサや、光センサ等で実現される。
【００３６】
上面表示部２２０は、挿入口２２６に乗車券ＴＩＸが挿入された場合に、制御部２５０によって処理された結果を表示する。正面表示部１２２は、図５のａ方向に通過可能であるか否かを示すマークや図形、文字等を表示する。
【００３７】
挿入口２２６には、利用者によって乗車券ＴＩＸが挿入される。挿入口２２６に挿入された乗車券ＴＩＸは、挿入口２２６の内部側に設けられた物体検知センサにより検知される。物体検知センサによって物体が検知されると、制御部２５０は、磁気券改札機２００の内部に設けられた搬送機構２３０（図６参照）を駆動させる。乗車券ＴＩＸは、搬送機構２３０により整列部、磁気券リーダライタ２３２、パンチ部、印刷部、および排出口（または集札部）に向けて搬送される。整列部は、乗車券ＴＩＸを所定の姿勢に整える。磁気券リーダライタ２３２は、姿勢が整えられた乗車券ＴＩＸの磁気層に記憶された情報を読み取る。また、磁気券リーダライタ２３２は、乗車券ＴＩＸの磁気層に制御部２５０の処理結果を書き込む。パンチ部は、必要に応じて乗車券ＴＩＸを穿孔する。印刷部は、必要に応じて磁気券の所定位置に日付や、入場駅などの情報を印刷する。搬送機構２３０は、情報が読み取られた、および情報が書き込まれた乗車券ＴＩＸを排出口２２８に向けて搬送する。排出口２２８は、制御部２５０の制御に従って、乗車券ＴＩＸを排出する。また、集札部には、例えば出場処理において、処理された乗車券ＴＩＸが搬送される。
【００３８】
磁気券改札機２００の制御部２５０は、磁気券改札機２００が図５のａ方向に通過しようとする利用者に対して、扉部２２４Ａおよび対向する補機の扉部２２４Ｂを開放状態または閉止状態に制御することで、ａ方向に通過しようとする利用者の通過を許可または禁止する。また、以下、扉部２２４Ａおよび２２４Ｂを、区別しない場合は、ＡまたはＢの符号を省略し、単に扉部２２４と表記する。
【００３９】
なお、図５では、磁気券改札機２００が磁気券専用機であるものとして説明するが、磁気券改札機２００は、ＩＣカードと、磁気券との双方を処理可能な併用機であってもよい。また、磁気券改札機２００は、利用者の一方向の通過のみ許可するものに限らず、主機と従機を備えることによって、利用者の双方向の通過を許可するものであってもよい。
【００４０】
図６は、磁気券改札機２００の機能構成を示す図である。磁気券改札機２００の制御部２５０は、記憶部２５２と、搬送制御部２５６と、磁気処理部２５８、磁気判定部２６０と、通過制御部２７０とを含んでよいが、これに限られない。磁気処理部２５８、磁気判定部２６０、および通過制御部２７０は、ＣＰＵ等のプロセッサがプログラムを実行することで実現されてよい。また、これらの機能部のうち一部または全部は、ＬＳＩやＡＳＩＣ、ＦＰＧＡ等のハードウェアで実現されてもよい。磁気券リーダライタ２３２と、磁気券処理部２５８とを合わせたものが、「第２の取得部」または「第４の取得部」の一例である。磁気券判定部２６０は、「第２の処理部」または「第４の処理部」の一例である。
【００４１】
記憶部２５２は、例えば、ＲＯＭ、フラッシュメモリ、ＨＤＤ、ＳＤカード等の不揮発性の記憶媒体と、ＲＡＭ、レジスタ等の揮発性の記憶媒体とによって実現される。記憶部２５２は、プロセッサが実行するプログラムや、各駅間（または利用距離ごと）の料金が記憶された料金テーブル２５４を格納する他、自機が設置された駅の識別情報や、自機の識別情報、各駅間の距離等を格納する。また、記憶部２５２は、サーバ装置４００から送信された情報を格納する。
【００４２】
搬送制御部２５６は、搬送機構２３０を制御して、挿入口２２６に挿入された乗車券ＴＩＸを磁気処理部２５８、および排出口２２８に向けて搬送する。
【００４３】
磁気処理部２５８は、磁気券リーダライタ２３２の処理結果に基づいて、搬送機構２３０により搬送されてくる乗車券ＴＩＸの磁気層に記憶された情報の内容を読み取る。磁気処理部２５８は、利用者が利用可能な区間を示す区間情報等を取得する。磁気処理部２５８は、磁気券リーダライタ２３２を制御して、搬送機構２３０により搬送されてくる乗車券ＴＩＸの磁気層に情報を書き込む。
【００４４】
磁気判定部２６０は、サーバ装置４００から取得した情報および磁気処理部２５８により取得された区間情報に基づいて、入場可能か否か、または利用者が出場可能か否かを判定する。
【００４５】
通過制御部２７０は、磁気判定部２６０の判定結果に基づいて、利用者の通過を許可、または禁止する制御を実行する。また、通過制御部２７０は、磁気判定部２６０によって乗車券ＴＩＸの磁気層に記憶された情報が認識されない場合、または認識された磁気層に記憶された情報がデコードされない場合、通過センサ２１８により利用者が検出されると、利用者の通過を禁止する制御を行う。利用者の通過を禁止する制御をする場合、通過制御部２７０は、扉部２２４を閉止状態にしたり、上面表示部２２０に通過を不許可とする表示をさせたりする。利用者の通過を許可する制御をする場合、通過制御部２７０は、扉部２２４を開放状態にしたり、上面表示部２２０に通過を許可とする表示をさせたりする。
【００４６】
また、磁気券改札機２００は、中継装置ＲＬを介してサーバ装置４００と通信する磁気券改札機側通信部２８０を備える。磁気券改札機側通信部２８０は、磁気処理部２５８により読み取られた情報、磁気判定部２６０の処理結果、自機の識別情報等をサーバ装置４００に送信する。磁気券改札機側通信部２８０は、「第２の通信部」または「第４の通信部」の一例である。
【００４７】
（サーバ装置４００）
図７は、サーバ装置４００の構成の一例を示す図である。サーバ装置４００は、サーバ側通信部４１０と、制御部４１２と、記憶部４２０とを含む。
【００４８】
サーバ側通信部４１０は、駅システム５の中継装置ＲＬ（自動改札機）から送信された情報を取得する。また、サーバ側通信部４１０は、駅システム５の中継装置ＲＬ（自動改札機）に、自装置が保持する情報を送信する。
【００４９】
制御部４１２は、中継装置ＲＬから送信された情報に基づいて、送信された情報の送信先となる駅システム５を決定する。制御部４１２は、決定した駅システム５の中継装置ＲＬに送信された自装置が保持する情報の全部または一部を、サーバ側通信部４１０に送信させる。
【００５０】
記憶部４２０は、例えば、ＲＯＭ、フラッシュメモリ、ＨＤＤ、ＳＤカード等の不揮発性の記憶媒体と、ＲＡＭ、レジスタ等の揮発性の記憶媒体とによって実現される。記憶部４２０は、プロセッサが実行するプログラムや、料金テーブル４３０、自装置が保持する情報を管理する管理テーブル４４０等を格納する。料金テーブル４３０は。各駅間（または利用距離ごと）の料金が記憶されている。管理テーブル４４０の詳細についは後述する。
【００５１】
（乗車券ＴＩＸ）
図８は、乗車券ＴＩＸの一例を示す図である。乗車券ＴＩＸは、第１面Ｓ１と、第２面Ｓ２とを有する。乗車券ＴＩＸの第１面Ｓ１には、乗車券ＴＩＸが発行された駅名「○○駅」や、利用可能な区間を示す金額「２００円」、発行日時、乗車券ＴＩＸが発行されたときに付与される乗車券識別情報等が印字されている。また、長辺の右側には、表示オブジェクトＯＢ（ＱＲコード）が印字され、表示オブジェクトＯＢの一部を覆うように着色部ＣＬが設けられている。
【００５２】
「表示オブジェクト」には、乗車券ＩＤ（乗車券識別情報）、乗車券ＴＩＸの効力を示す効力情報、およびシステム利用情報が符号化されている。乗車券ＩＤは、個々の乗車券ＴＩＸを識別するための情報である。乗車券ＩＤは、例えば、乗車券ＴＩＸを発券した券売機３００の識別情報（券売機識別情報）、乗車券ＴＩＸが発行される度にインクリメント（あるいはデクリメント）される一連番号、発行駅を示す情報、および発行日時を示す情報などのうち一部または全部を含む。なお、同じ駅では共通の一連番号が付与される場合、券売機識別情報に代えて、駅識別情報を乗車券ＩＤに含めてもよい。
【００５３】
効力情報とは、例えば乗車券ＴＩＸを用いて利用することができる区間を示す区間情報や、乗車券ＴＩＸの利用期間を示す利用期間情報等である。なお、効力情報は、乗車券ＴＩＸの発行日時を表す情報を含んでもよい。また、区間情報は、乗車券ＴＩＸを発行した券売機３００が設置された駅の識別情報および出場駅の識別情報を含んでもよいし、券売機が設置された駅（例えばＸ駅）の識別情報および「Ｘ駅からＹ円区間」といった料金情報を含んでもよい。また、本実施形態の自動改札機システム１を利用する場合、「Ｙ円区間」という利用区間を示す情報を区間情報としてもよい。自動改札機システム１では、入場駅で乗車券ＴＩＸが使用されたことを示す情報を、出場駅に伝達することができるためである。
【００５４】
システム利用情報とは、磁気層に乗車券ＩＤおよび区間情報が記憶され、且つ表示オブジェクトに乗車券ＩＤおよび区間情報が符号化された乗車券ＴＩＸであって、本実施形態の自動改札機システム１を利用することができる乗車券ＴＩＸであるか否かを示す情報である。図９は、表示オブジェクトＯＢに符号化された情報の一例を示す図である。
【００５５】
図８に戻り、着色部ＣＬは、表示オブジェクトＯＢの一部を覆うように、乗車券ＴＩＸの短辺の方向に設けられた帯状の領域である。着色部ＣＬは、例えば表示オブジェクトＯＢの色と同一色で全面に亘り印刷された領域である。
【００５６】
着色部ＣＬは、着色部ＣＬと重なり合う表示オブジェクトＯＢの視覚による識別力を低下させる特性を備える。着色部ＣＬは、表示オブジェクトＯＢに可視光が照射されたとき、利用者が表示オブジェクトＯＢを認識できない程度に可視光を吸収する。また、着色部ＣＬは、表示オブジェクトＯＢに可視光以外の光が照射されたとき、可視光以外の光（例えば赤外光）を透過させる。これによって、表示オブジェクトＯＢが複製されるのを抑制することができる。
【００５７】
コード券改札機１００は、ライト１１６により光が照射されている状態で表示オブジェクトＯＢを撮像すれば、表示オブジェクトＯＢからの反射光に基づいて、表示オブジェクトＯＢを識別可能な画像を得ることができる。
【００５８】
第２面Ｓ２には、磁気層が形成されている。この磁気層には、例えば乗車券ＴＩＸの乗車券ＩＤ、区間情報およびシステム利用情報が記憶されている。乗車券ＩＤは、表示オブジェクトＯＢに符号化された乗車券ＩＤと同一の情報、または表示オブジェクトＯＢに符号化された乗車券ＩＤと同一の情報を導出可能な情報である。
【００５９】
以下、入場駅および出場駅に設置されたコード券改札機１００および磁気券改札機２００の処理について説明する。
【００６０】
（入場駅に設置されたコード券改札機１００（第１の自動改札機）の処理）
図１０は、入場駅に設置されたコード券改札機１００により実行される処理の流れを示すフローチャートである。
【００６１】
まず、制御部１５０は、リーダ１１２に何らかの物体（乗車券ＴＩＸ）が提示されるまで待機する（ステップＳ１００）。リーダ１１２に何らかの物体（乗車券ＴＩＸ）が提示されると、光学読取部１１４が、ライト１１６により乗車券ＴＩＸに光が照射された状態で、物体を撮像し、画像処理部１５８が、撮像された画像を解析する（ステップＳ１０２）。画像処理部１５８は、解析結果に基づいて、表示オブジェクトＯＢを認識し、認識した表示オブジェクトＯＢから情報（乗車券ＩＤ、区間情報および／またはシステム利用情報）を取得することができたか否かを判定する（ステップＳ１０４）。表示オブジェクトＯＢから情報を取得することができなかった場合、通過制御部１７０は、扉部１２４を閉止状態に制御する（ステップＳ１１８）。
【００６２】
表示オブジェクトＯＢから情報を取得することができた場合、画像判定部１６０は、ステップＳ１０４で取得された情報にシステム利用情報が含まれるか否かを判定する（ステップＳ１０６）。ステップＳ１０４で取得された情報にシステム利用情報が含まれていない場合、画像判定部１６０は、表示オブジェクトＯＢに符号化された区間情報に基づいて、利用者の入場を許可するか否かを判定する（ステップＳ１０８）。例えば、画像判定部１６０は、例えば当該駅がステップＳ１０４で取得した区間情報が示す区間に収まっている場合、利用者の入場を許可する。画像判定部１６０は、例えば当該駅をステップＳ１０４で取得した区間情報が示す区間に収まってない場合、利用者の入場を許可しない。
【００６３】
入場を許可する場合、通過制御部１７０は、扉部１２４を開放状態に制御する（ステップＳ１１６）。入場を許可しない場合、通過制御部２７０は、扉部１２４を閉止状態に制御する（ステップＳ１１８）。
【００６４】
ステップＳ１０６の処理でシステム利用情報を取得した場合、画像判定部１６０が、自動改札機システム１に対応する事業者であるか否かを判定する（ステップＳ１１０）。自動改札機システム１に対応する事業者とは、自動改札機システム１による処理を適用することを予め表明した事業者である。事業者により管理されているコード券改札機１００の記憶部１５２には、予め自動改札機システム１に対応する事業者であることを示す情報が記憶されている。
【００６５】
自動改札機システム１に対応する事業者でない場合（記憶部１５２に自動改札機システム１に対応する事業者であることを示す情報が記憶されていない場合）、通過制御部１７０は、扉部１２４を閉止状態に制御する（ステップＳ１１８）。仮に自動改札機システム１に対応する事業者でない場合に、入場を許可するか否かの判定をしてしまうと、乗車券ＴＩＸの磁気層に記憶された情報および自動改札機の判定結果は、入場駅の自動改札機から出場駅に送信されず、出場駅において乗車券ＴＩＸの処理を行うことができない。この結果、利用者は、入場駅に入場することはできても、出場駅で出場することができなくなるため、通過制御部１７０は、扉部１２４を閉止状態に制御し、入場時点で、当該鉄道を利用できないことを利用者に通知する。
【００６６】
自動改札機システム１に対応する事業者である場合、画像判定部１６０は、利用者の入場を許可するか否かを判定する（ステップＳ１１２）。入場を許可しない場合、通過制御部１７０は、扉部１２４を閉止状態に制御する（ステップＳ１１８）。
【００６７】
入場を許可する場合、制御部１５０は、コード券改札機側通信部１８０を制御して、入場が許可されたことを示す情報（判定結果）、乗車券ＩＤおよび区間情報をサーバ装置４００に送信する（ステップＳ１１４）。なお、制御部２５０は、例えば判定結果の送信を省略してもよい。次に、通過制御部１７０は、扉部１２４を開放状態に制御する（ステップＳ１１６）。これにより本フローチャートの１ルーチンは終了する。
【００６８】
なお、上述した図１０のフローチャートの処理において、ステップＳ１０６およびＳ１０８の処理は省略してもよい。
【００６９】
（入場駅に設置された磁気券改札機２００（第２の改札機）の処理）
図１１は、入場駅に設置された磁気券改札機２００により実行される処理の流れを示すフローチャートである。まず、制御部２５０は、挿入口２２６に何らかの物体（乗車券ＴＩＸ）が挿入口２２６に挿入されるまで待機する（ステップＳ２００）。
【００７０】
挿入口２２６に何らかの物体（乗車券ＴＩＸ）が挿入されると、磁気処理部２５８が、搬送機構２３０により搬送されてきた乗車券ＴＩＸの磁気層に記憶された情報（乗車券ＩＤ、区間情報および／またはシステム利用情報）を取得することができたか否かを判定する（ステップＳ２０２）。乗車券ＴＩＸの磁気層に記憶された情報を取得することができなかった場合、通過制御部２７０は、扉部２２４を閉止状態に制御する（ステップＳ２１８）。
【００７１】
乗車券ＴＩＸの磁気層に記憶された情報を取得することができた場合、磁気判定部２６０は、ステップＳ２０２で取得された情報にシステム利用情報が含まれるか否かを判定する（ステップＳ２０４）。ステップＳ２０４でシステム利用情報が含まれていない場合、磁気判定部２６０は、利用者の入場を許可するか否かを判定する（ステップＳ２０６）。例えば、磁気判定部２６０は、例えば当該駅がステップＳ２０２で取得された区間情報が示す区間に収まっている場合、利用者の入場を許可する。磁気判定部２６０は、例えば当該駅がステップＳ２０２で取得された区間情報が示す区間に収まってない場合、利用者の入場を許可しない。ステップＳ２０６の処理は、自動改札機システム１を利用した乗車券ＴＩＸの処理とは異なり、通常に行われる乗車券ＴＩＸに対する改札処理である。
【００７２】
入場を許可する場合、磁気処理部２５８が、磁気券リーダライタ２３２を制御して、ステップＳ２０６で利用者の入場が許可されたことを示す情報を乗車券ＴＩＸの磁気層に書き込む（ステップＳ２０８）。次に、通過制御部２７０は、扉部２２４を開放状態に制御する（ステップＳ２１６）。入場を許可しない場合、通過制御部２７０は、扉部２２４を閉止状態に制御する（ステップＳ２１８）。
【００７３】
ステップＳ２０４の処理でシステム利用情報が含まれている場合、磁気判定部２６０が、自動改札機システム１に対応する事業者であるか否かを判定する（ステップＳ２１０）。
【００７４】
自動改札機システム１に対応する事業者でない場合（記憶部２５２に自動改札機システム１に対応する事業者であることを示す情報が記憶されていない場合）、通過制御部２７０は、扉部２２４を閉止状態に制御する（ステップＳ２１８）。
【００７５】
自動改札機システム１に対応する事業者である場合（記憶部２５２に自動改札機システム１に対応する事業者であることを示す情報が記憶されている場合）、磁気判定部２６０は、利用者の入場を許可するか否かを判定する（ステップＳ２１２）。入場を許可しない場合、通過制御部２７０は、扉部２２４を閉止状態に制御する（ステップＳ２１８）。
【００７６】
入場を許可する場合、制御部２５０は、磁気券改札機側通信部２８０を制御して、入場が許可されたことを示す情報（判定結果）、乗車券ＩＤ、および区間情報をサーバ装置４００に送信する（ステップＳ２１４）。なお、制御部２５０は、例えば判定結果の送信を省略してもよい。次に、通過制御部２７０は、扉部２２４を開放状態に制御する（ステップＳ２１６）。これにより本フローチャートの１ルーチンは終了する。
【００７７】
（サーバ装置４００により実行される処理）
図１２は、サーバ装置４００が自動改札機との間で情報を送受信する様子を示す図である。図示する例は、磁気券改札機２００から送信された情報をサーバ装置４００が処理する様子を示している。サーバ装置４００は、乗車券ＩＤ、上述したコード券改札機１００または磁気券改札機２００により送信された入場が許可されたことを示す情報（判定結果）、および効力情報（区間情報）を取得する。以下、サーバ装置４００が自動改札機から取得した判定結果、乗車券ＩＤ、および区間情報を含む情報を「送受信情報Ｄ」という。
【００７８】
サーバ装置４００は、取得した送受信情報Ｄに基づいて、取得した情報の送信先となる駅システム５を決定する。例えば、サーバ装置４００は、取得した区間情報の示す区間内に含まれる駅システム５を送信先として決定し、決定した送信先に送受信情報Ｄを送信（配信）する。図示する例では、利用者が入場した駅を入場駅Ａとした場合、区間情報の示す区間がＸ駅、およびＹ駅を含み、Ｚ駅を含まないものとする。この場合、サーバ装置４００は、Ｘ駅システム５およびＹ駅システム５に送受信情報Ｄを送信する。これにより、出場駅側の自動改札機は、送受信情報Ｄを取得する。出場駅側の自動改札機は、送受信情報を自機の記憶部（１５２、２５２）に格納する。
【００７９】
また、サーバ装置４００は、送受信情報Ｄを管理するための情報を、管理テーブル４４０に記憶させる。管理テーブル４４０は、乗車券ＩＤに対して、乗車券ＴＩＸに関する情報が対応付けられたテーブルである。図１３は、管理テーブル４４０の一例を示す図である。乗車券ＴＩＸに関する情報には、乗車券ＩＤに加え、更に、システム利用情報、効力情報、入場駅を示す情報、入場駅に入場した時刻、自動改札機が入場を許可したことを示す情報（入場判定結果）、自動改札機から送信された利用者が出場した出場駅を示す情報、出場駅を出場した時刻、自動改札機が出場を許可したことを示す情報（出場判定結果）等が記憶される。
【００８０】
（出場駅に設置されたコード券改札機１００（第３の自動改札機）の処理）
図１４は、出場駅に設置されたコード券改札機１００により実行される処理の流れを示すフローチャートである。本処理は、入場駅で乗車券ＴＩＸがコード券改札機１００または磁気券改札機２００により処理された後に実行される処理である。
【００８１】
まず、制御部１５０は、リーダ１１２に何らかの物体（乗車券ＴＩＸ）が提示されるまで待機する（ステップＳ３００）。リーダ１１２に何らかの物体（乗車券ＴＩＸ）が提示されると、光学読取部１１４が、ライト１１６により乗車券に光が照射された状態で、物体を撮像し、画像処理部１５８が、撮像された画像を解析する（ステップＳ３０２）。画像処理部１５８は、解析結果に基づいて、表示オブジェクトＯＢを認識し、認識した表示オブジェクトＯＢから情報（乗車券ＩＤ、区間情報および／またはシステム利用情報）を取得することができたか否かを判定する（ステップＳ３０４）。表示オブジェクトＯＢから情報を取得することができなかった場合、通過制御部１７０は、扉部１２４を閉止状態に制御する（ステップＳ３２０）。
【００８２】
表示オブジェクトＯＢから情報を取得することができた場合、画像判定部１６０は、ステップＳ３０４で取得された情報にシステム利用情報が含まれるか否かを判定する（ステップＳ３０６）。ステップＳ３０４で取得された情報にシステム利用情報が含まれていない場合、画像判定部１６０は、表示オブジェクトＯＢに符号化された区間情報に基づいて、利用者の出場を許可するか否かを判定する（ステップＳ３０８）。例えば、画像判定部１６０は、例えば当該駅がステップＳ３０４で取得された区間情報が示す区間に収まっている場合、利用者の出場を許可する。画像判定部１６０は、例えば当該駅がステップＳ３０４で取得された区間情報が示す区間に収まってない場合、利用者の出場を許可しない。ステップＳ３０８の処理は、自動改札機システム１を利用した乗車券ＴＩＸの処理とは異なり、通常に行われる乗車券ＴＩＸに対する改札処理である。
【００８３】
入場を許可する場合、通過制御部１７０は、扉部１２４を開放状態に制御する（ステップＳ３１８）。入場を許可しない場合、通過制御部２７０は、扉部１２４を閉止状態に制御する（ステップＳ３２０）。
【００８４】
ステップＳ３０６の処理でシステム利用情報が含まれている場合、画像判定部１６０が、自動改札機システム１に対応する事業者であるか否かを判定する（ステップＳ３１０）。
【００８５】
自動改札機システム１に対応する事業者でない場合、通過制御部１７０は、扉部１２４を閉止状態に制御する（ステップＳ３２０）。この場合、入場駅の自動改札機から送受信情報Ｄ（乗車券ＩＤおよび判定結果）は送信されておらず、画像判定部１６０は、送受信情報Ｄと磁気層から取得した情報との比較をすることができないためである。
【００８６】
自動改札機システム１に対応する事業者である場合、画像判定部１６０は、サーバ装置４００から送信された送受信情報Ｄと、ステップＳ３０４で表示オブジェクトＯＢから取得した情報とを比較する（ステップＳ３１２）。画像判定部１６０は、サーバ装置４００から送信され、自機の記憶部１５２に記憶された送受信情報Ｄのうちから、ステップＳ３０４で取得された乗車券識別情報と一致する乗車券識別情報を検索する。画像判定部１６０は、検索した一致する乗車券識別情報に対応付けられた情報と、ステップＳ３０４で取得された情報とを比較する。
【００８７】
次に、画像判定部１６０は、出場駅においてリーダ１１２に提示された乗車券ＴＩＸが所定の条件を満たすか否かを判定する（ステップＳ３１４）。所定の条件とは、例えば、送受信情報Ｄに含まれる乗車券ＩＤと、ステップＳ３０４で表示オブジェクトＯＢから取得した乗車券ＩＤとが一致し、且つ送受信情報Ｄに入場駅で入場が許可された判定結果が含まれていることである。また、所定の条件とは、送受信情報Ｄに含まれる乗車券識別情報と、ステップＳ３０４で表示オブジェクトＯＢから取得した乗車券識別情報とが一致していることであってもよい。
【００８８】
所定の条件を満たさない場合、通過制御部１７０は、扉部１２４を閉止状態に制御する（ステップＳ３２０）。所定の条件を満たす場合、画像判定部１６０は、ステップＳ３０４で取得された区間情報に基づいて、利用者の出場を許可するか否かを判定する（ステップＳ３１６）。画像判定部１６０は、当該駅が区間情報の示す区間内に収まっている場合は、利用者の出場を許可し、当該駅が区間情報の示す区間内に収まっていない場合は、利用者の出場を許可しない。
【００８９】
出場を許可する場合、通過制御部２７０は、扉部１２４を開放状態に制御する（ステップＳ３１８）。利用者の出場を許可しない場合、通過制御部２７０は、扉部１２４を閉止状態に制御する（ステップＳ３２０）。なお、出場許可の判定後、制御部１５０は、コード券改札機側通信部１８０に自機の判定結果および乗車券ＴＩＸから取得した情報をサーバ装置４００に送信してもよい。これにより本フローチャートの１ルーチンは終了する。
【００９０】
なお、上述した図１４のフローチャートの処理において、ステップＳ３０６およびＳ３０８の処理は省略されてもよい。
【００９１】
（出場駅に設置された磁気券改札機２００（第４の自動改札機）の処理）
図１５は、出場駅に設置された磁気券改札機２００により実行される処理の流れを示すフローチャートである。本処理は、入場駅で乗車券ＴＩＸがコード券改札機１００により処理された後、または入場駅で乗車券ＴＩＸが磁気券改札機２００により処理された後に実行される処理である。
【００９２】
まず、制御部２５０は、挿入口２２６に何らかの物体（乗車券ＴＩＸ）が挿入口２２６に挿入されるまで待機する（ステップＳ４００）。挿入口２２６に何らかの物体（乗車券ＴＩＸ）が挿入されると、磁気処理部２５８が、搬送機構２３０により搬送されてきた乗車券ＴＩＸの磁気層に記憶された情報（乗車券ＩＤ、区間情報および／またはシステム利用情報）を取得することができたか否かを判定する（ステップＳ４０２）。乗車券ＴＩＸの磁気層に記憶された情報を取得することができなかった場合、通過制御部２７０は、扉部２２４を閉止状態に制御する（ステップＳ４１８）。
【００９３】
乗車券ＴＩＸの磁気層に記憶された情報を取得することができた場合、磁気判定部２６０は、ステップＳ４０２で取得した情報にシステム利用情報が含まれるか否かを判定する（ステップＳ４０４）。ステップＳ４０４でシステム利用情報が含まれていない場合、磁気判定部２６０は、利用者の出場を許可するか否かを判定する（ステップＳ４０６）。ステップＳ４０６の処理は、自動改札機システム１を利用した乗車券ＴＩＸの処理とは異なり、通常に行われる乗車券ＴＩＸに対する改札処理である。
【００９４】
出場を許可する場合、通過制御部２７０は、扉部２２４を開放状態に制御する（ステップＳ４１６）。入場を許可しない場合、通過制御部２７０は、扉部２２４を閉止状態に制御する（ステップＳ４１８）。
【００９５】
ステップＳ４０４でシステム利用情報が含まれている場合、磁気判定部２６０が、自動改札機システム１に対応する事業者であるか否かを判定する（ステップＳ４０８）。自動改札機システム１に対応する事業者でない場合、通過制御部２７０は、扉部２２４を閉止状態に制御する（ステップＳ４１８）。この場合、入場駅の自動改札機から送受信情報Ｄ（乗車券ＩＤおよび判定結果）は送信されておらず、送受信情報Ｄと磁気層から取得した情報との比較をすることができないためである。
【００９６】
自動改札機システム１に対応する事業者である場合、磁気判定部２６０は、サーバ装置４００から送信された送受信情報Ｄと、ステップＳ４０２で磁気層から取得した情報とを比較する（ステップＳ４１０）。磁気判定部２６０は、サーバ装置４００から送信され、自機の記憶部２５２に記憶された送受信情報Ｄのうちから、ステップＳ４０２で取得された乗車券識別情報と一致する乗車券識別情報を検索する。磁気判定部２６０は、検索した一致する乗車券識別情報に対応付けられた情報と、ステップＳ４０２で取得された情報とを比較する。
【００９７】
次に、磁気判定部２６０は、出場駅において挿入口２２６に挿入された乗車券ＴＩＸが所定の条件を満たすか否かを判定する（ステップＳ４１２）。所定の条件とは、例えば、送受信情報Ｄに含まれる乗車券ＩＤと、ステップＳ４０２で磁気層から取得された乗車券ＩＤとが一致し、且つ送受信情報Ｄに入場駅で入場が許可された判定結果が含まれていることである。また、所定の条件とは、送受信情報Ｄに含まれる乗車券識別情報と、ステップＳ４０２で磁気層から取得した乗車券識別情報とが一致していることであってもよい。
【００９８】
所定の条件を満たさない場合、通過制御部１７０は、扉部２２４を閉止状態に制御する（ステップＳ４１８）。所定の条件を満たす場合、磁気判定部２６０は、利用者の出場を許可するか否かを判定する（ステップＳ４１４）。利用者の出場を許可する場合、通過制御部２７０は、扉部２２４を開放状態に制御する（ステップＳ４１６）。利用者の出場を許可しない場合、通過制御部２７０は、扉部２２４を閉止状態に制御する（ステップＳ４１８）。なお、出場許可の判定後、制御部２５０は、磁気券改札機側通信部２８０に自機の判定結果および乗車券ＴＩＸから取得した情報をサーバ装置４００に送信する。これにより本フローチャートの１ルーチンは終了する。
【００９９】
本実施形態では、サーバ装置４００が、送受信情報Ｄの送信先を決定し、決定した送信先に送受信情報Ｄを配信するものとしたが、これに代えて、自動改札機は、取得した乗車券識別情報に関する送受信情報Ｄを送信するようにサーバ装置４００に要求してもよい。この場合、サーバ装置４００は、自動改札機の要求に応じて、乗車券識別情報に関する情報を自装置の管理テーブル４４０から取得し、取得した情報を自動改札機に送信する。
【０１００】
図１６および図１７を参照して、自動改札機システム１の処理過程について説明する。
図１６（Ａ）は、入場駅に磁気券改札機２００が、出場駅に磁気券改札機２００が設置された場合の処理過程の一例である。乗車券ＴＩＸは、券売機３００により発券される。入場駅の磁気券改札機２００は、磁気層に記憶された磁気情報に基づいて、入場処理を実行する。磁気券改札機２００は、送受信情報Ｄ（乗車券ＩＤおよび入場処理の結果）をサーバ装置４００に送信する。サーバ装置４００は、入場駅の磁気券改札機２００により送信された送受信情報Ｄを出場駅の磁気券改札機２００に送信する。出場駅の磁気券改札機２００は、サーバ装置４００により送信された乗車券ＩＤと、自機に挿入された乗車券ＴＩＸの磁気層に記憶された磁気情報とが一致し、且つ当該駅が磁気情報に含まれる区間情報が示す区間に収まっている場合、利用者の出場を許可する。利用済の乗車券ＴＩＸは、出場駅で集札される。出場駅の磁気券改札機２００は、出場処理の結果を乗車券ＴＩＸの乗車券識別情報に対応付けて、サーバ装置４００に送信する。サーバ装置４００は、出場駅の磁気券改札機２００から送信された情報を、自装置で管理している乗車券ＴＩＸの情報に反映させる。これにより、乗車券ＴＩＸの再利用が防止される。
【０１０１】
図１６（Ｂ）は、入場駅に磁気券改札機２００が、出場駅にコード券改札機１００が設置された場合の処理過程の一例である。サーバ装置４００は、入場駅の磁気券改札機２００により送信された送受信情報Ｄを出場駅のコード券改札機１００に送信する。出場駅のコード券改札機１００は、自機に提示された乗車券ＴＩＸの表示オブジェクトＯＢに符号化された乗車券ＩＤと、サーバ装置４００により送信された乗車券ＩＤとが一致し、且つ当該駅が表示オブジェクトＯＢに符号化された情報に含まれる区間情報が示す区間に収まっている場合、利用者の出場を許可する。出場駅のコード券改札機１００は、出場処理の結果を乗車券ＴＩＸの乗車券識別情報に対応付けて、サーバ装置４００に送信する。サーバ装置４００は、出場駅のコード券改札機１００から送信された情報を、自装置で管理している乗車券ＴＩＸの情報に反映させる。これにより、乗車券ＴＩＸの再利用が防止される。
【０１０２】
図１７（Ａ）は、入場駅にコード券改札機１００が、出場駅に磁気券改札機２００が設置された場合の処理過程の一例である。入場駅のコード券改札機１００は、表示オブジェクトＯＢに符号化された情報に基づいて、入場処理を実行する。コード券改札機１００は、送受信情報Ｄ（乗車券ＩＤおよび入場処理の結果）をサーバ装置４００に送信する。サーバ装置４００は、入場駅のコード券改札機１００により送信された送受信情報Ｄを出場駅の磁気券改札機２００に送信する。出場駅の磁気券改札機２００は、サーバ装置４００により送信された乗車券ＩＤと、自機に挿入された乗車券ＴＩＸの磁気層に記憶された乗車券ＩＤとが一致し、且つ当該駅が磁気情報に含まれる区間情報が示す区間に収まっている場合、利用者の出場を許可する。出場駅の磁気券改札機２００は、出場処理の結果を乗車券ＴＩＸの乗車券識別情報に対応付けて、サーバ装置４００に送信する。
【０１０３】
図１７（Ｂ）は、入場駅および出場駅にコード券改札機１００が設置された場合の処理過程の一例である。サーバ装置４００は、入場駅のコード券改札機１００により送信された送受信情報Ｄを出場駅のコード券改札機１００に送信する。出場駅のコード券改札機１００は、自機に提示された乗車券ＴＩＸの表示オブジェクトＯＢに符号化された乗車券ＩＤと、サーバ装置４００により送信された乗車券ＩＤとが一致し、且つ当該駅が表示オブジェクトＯＢに符号化された情報に含まれる区間情報が示す区間に収まっている場合、利用者の出場を許可する。出場駅のコード券改札機１００は、出場処理の結果を乗車券ＴＩＸの乗車券識別情報に対応付けて、サーバ装置４００に送信する。
【０１０４】
ここで、利用者により利用される乗車券の主体を、順次、磁気層を有さない乗車券であって、表示オブジェクトが表示された乗車券に移行させる場合、利用者や事業者に負担が生じないように段階的に改札処理のシステムを移行する場合がある。システムを移行する段階において、コード券改札機と磁気券改札機とが混在する環境では、一方の自動改札機のみが設置された駅が存在する場合がある。この場合、利用者は、入場駅で通過した改札機（例えば磁気改札機）と異なる処理を実行する自動改札機（例えばコード券改札機）を利用することができないため、出場駅で出場できないことがある。
【０１０５】
これに対して、本実施形態の自動改札機システム１は、入場駅の自動改札機で取得された情報および判定結果を、サーバ装置４００を介して出場駅の自動改札機が取得する。出場駅の改札機は、入場駅で利用された乗車券ＴＩＸと、出場駅で利用しようとされている乗車券ＴＩＸとの同一性を確認する。これにより、入場駅側で行われた処理と、出場駅側で行われた処理の方式が異なる場合であっても、乗車券ＴＩＸに対する入出場処理を行うことができる。この結果、利用者の利便性を向上させることができる。また、自動改札機で乗車券ＴＩＸを処理することができるため、係員が窓口で乗車券ＴＩＸを処理する負荷が軽減される。
【０１０６】
図１８は、自動改札機システム１を導入する場合のシステム状態の遷移の一例を示す図である。図１８（Ａ）は、１段階目の状態の一例を示す図である。１段階目の状態（Ａ）−（１）では、サーバ装置４００を設置する。１段階目の状態（Ａ）−（２）では、サーバ装置４００と、Ｃ事業者の磁気改札機２００とをＬＡＮ等で接続し、通信可能な状態にする。また、事業者Ｃの磁気券改札機２００のプログラムを更新する。このプログラムは、乗車券ＴＩＸの磁気層に記憶されたシステム利用情報を取得した場合に、自機の判定結果および乗車券ＩＤをサーバ装置４００に送信する処理を実行させるプログラムである。１段階目の状態（Ａ）−（３）では、事業者ＡおよびＢの磁気券改札機２００のプログラムを更新する。このプログラムは、乗車券ＴＩＸの磁気層に記憶されたシステム利用情報を取得した場合に、改札処理を受け付けない処理を実行させるプログラムである。
【０１０７】
図１８（Ｂ）は、２段階目の状態の一例を示す図である。２段階目の状態（Ｂ）−（１）では、例えば事業者Ｃの券売機３００のプログラムを更新する。このプログラムは、事業者Ｃが運営する鉄道路線の駅で入場および出場するための乗車券については、乗車券ＴＩＸを発行する処理を行うプログラムである。２段階目の状態（Ｂ）−（２）では、乗車券ＴＩＸの発行が開始される。２段階目の状態（Ｂ）−（３）では、Ｃ事業者の磁気券改札機２００が、乗車券ＴＩＸを処理する運用が開始される。この場合、事業者Ｃの磁気券改札機２００は、サーバ装置４００と通信するため、乗車券ＴＩＸを処理することができる。事業者ＡおよびＢの磁気券改札機２００は、サーバ装置４００と通信しないため、乗車券ＴＩＸを受け付けることができない。
【０１０８】
図１８（Ｃ）は、３段階目の状態の一例を示す図である。３段階目の状態（Ｃ）−（１）では、例えば事業者Ｃの駅にコード券改札機１００が設置される。３段階目の状態（Ｃ）−（２）では、Ｃ事業者の駅に設置されたコード券改札機１００が、乗車券ＴＩＸを処理する運用が開始される。Ａ事業者およびＢ事業者が運営する鉄道の駅システムにおいても、コード券を処理する運用を開始する場合、サーバ装置４００を設置し、Ｃ事業者に設置されたサーバ装置４００と通信させ、上述した各状態を経て乗車券ＴＩＸを処理する運用が開始させることができる。この結果、利用される乗車券をコード券に移行させることができる。
【０１０９】
上述したように、自動改札機システム１を構築することにより、利用者や事業者に負担が生じないように、利用者により利用される乗車券をコード券に移行させることができる。また、利用者は、磁気券およびコード券をして入出場をすることができるため、利用者の利便性が向上する。
【０１１０】
（券売機）
以下、乗車券ＴＩＸを発行する券売機３００の説明を行う。図１９は、券売機３００の機能構成の一例を示す図である。券売機３００は、例えば、入力部３０２と、購入画面表示部３０４と、紙幣投入口３０８と、硬貨投入口３１０と、乗車券排出口３１２と、検銭部３１８と、ロール紙格納部３２０と、裁断部３２２と、乗車券発行部３２４と、券売機側制御部３３０と、券売機側記憶部３４０とを備える。
【０１１１】
入力部３０２は、例えば、ボタン、キーボード、マウス、マイク、タッチパネル等のユーザインターフェースである。なお、購入画面表示部３０４がタッチパネルの場合、入力部３０２は、購入画面表示部３０４の一部機能であってもよい。入力部３０２は、例えば、利用者から、乗車券である乗車券ＴＩＸの購入を指示する入力を受け付ける。
【０１１２】
購入画面表示部３０４は、例えば、ＬＣＤ（Liquid Crystal Display）や有機ＥＬ（Electroluminescence）ディスプレイなどの表示装置を含む。購入画面表示部３０４は、券売機側制御部３３０によって出力される情報に基づいて、乗車券ＴＩＸを購入するための画像を表示する。以下、購入画面表示部３０４を、上述した入力部３０２と機能が一体となったタッチパネル部と称して説明する。
【０１１３】
検銭部３１８は、紙幣投入口３０８または硬貨投入口３１０に投入された金銭を計数し、計数結果を券売機側制御部３３０に出力する。
【０１１４】
ロール紙格納部３２０には、ロール紙が格納される。ロール紙は、切断されることで乗車券ＴＩＸとなる乗車券用紙である。乗車券用紙の第１面には、乗車券ＴＩＸの乗車券ＩＤが符号化された表示オブジェクトＯＢが印刷される。第１面とは異なる第２面には、乗車券ＴＩＸの乗車券ＩＤが書き込まれる磁気層が形成される。
【０１１５】
裁断部３２２は、表示オブジェクトＯＢが表示されるロール紙Ｒを所定の大きさ（乗車券ＴＩＸの大きさ）に裁断する。
【０１１６】
乗車券発行部３２４は、オブジェクト発行部３２５（第１付与部）と、磁気発行部３２６（第２付与部）とを備える。オブジェクト発行部３２５は、券売機側制御部３３０による制御によって、裁断部３２２により裁断されたロール紙Ｒの第１面に表示オブジェクトＯＢを画像として形成（印刷）する。また、磁気発行部３２６は、第２面の磁気層に乗車券ＴＩＸの乗車券ＩＤおよび効力情報を書き込む。オブジェクト発行部３２５により表示オブジェクトＯＢに符号化される乗車券ＩＤと、磁気発行部３２６により磁気層に書き込まれる乗車券ＩＤのうち、少なくとも乗車券ＴＩＸの識別情報は同一である。乗車券発行部３２４は、乗車券ＴＩＸを乗車券排出口３１２から排出する。これによって、乗車券発行部３２４は、乗車券ＴＩＸを発行する。
【０１１７】
券売機側制御部３３０は、例えば、券売機側表示制御部３３４と、発行制御部３３６とを備える。券売機側表示制御部３３４は、乗車券ＴＩＸの購入画面をタッチパネル部に表示させる。発行制御部３３６は、タッチパネル部に入力された、利用区間等に基づいて、乗車券ＴＩＸの発行に要する購入金額を算出する。なお、このとき券売機側表示制御部３３４は、発行制御部３３６によって算出された購入金額をタッチパネル部に表示させる。これによって、紙幣投入口３０８や硬貨投入口３１０には、これらに対応する貨幣が投入される。発行制御部３３６は、検銭部３１８による計数結果を参照し、算出した購入金額を満たすか否かを判定する。発行制御部３３６は、計数結果が購入金額を満たす場合、乗車券発行部３２４に乗車券ＴＩＸを発行させる。券売機側記憶部３４０は、プロセッサが実行するプログラムを格納する他、各駅間の運賃が記憶された券売機側運賃テーブル３４２を格納する。
【０１１８】
以上説明した券売機３００は、乗車券ＴＩＸの識別情報が符号化された表示オブジェクトＯＢが表示された第１面と、第１面とは異なる第２面であって、第１面に表示された表示オブジェクトＯＢに符号化された識別情報と同じ識別情報が符号化された磁気層が形成された第２面とを有する乗車券を発行する。これにより、利用者は、乗車券ＴＩＸを用いて自動改札機システム１を利用することができる。この結果、利用者や事業者等の負担を軽減できることができる。
【０１１９】
以上説明した少なくともひとつの実施形態によれば、利用者によって自機に提示された乗車券に表示された表示オブジェクトに符号化された識別情報および効力情報を光学的に取得する第１の取得部、第１の取得部により取得された効力情報に基づいて、利用者の入場を許可するか否かを判定する第１の処理部、および第１の取得部により取得された識別情報をサーバ装置に送信する第１の通信部を備える第１の自動改札機と、利用者によって自機の挿入部に挿入された乗車券の磁気層に記憶された識別情報および効力情報を電磁的に取得する第２の取得部、第１の取得部により取得された効力情報に基づいて、利用者の入場を許可するか否かを判定する第２の処理部、および第２の取得部により取得された識別情報をサーバ装置に送信する第２の通信部を備える第２の自動改札機と、第１の自動改札機または第２の自動改札機から受信した識別情報に基づく情報を、第３の自動改札機または第４の自動改札機に送信するサーバ装置と、少なくとも、利用者によって自機に提示された乗車券に表示された表示オブジェクトに符号化された識別情報を光学的に取得する第３の取得部、サーバ装置により送信された識別情報に基づく情報を受信する第３の通信部、および第３の取得部により取得された識別情報と第３の通信部により受信された情報とに基づいて、利用者の出場を許可するか否かを判定する第３の処理部とを備える第３の自動改札機と、少なくとも、利用者によって自機の挿入部に挿入された乗車券の磁気層に記憶された識別情報を電磁的に取得する第４の取得部、サーバ装置により送信された識別情報に基づく情報を受信する第４の通信部、および第４の取得部により取得された識別情報と第４の通信部により受信された情報とに基づいて、利用者の出場を許可するか否かを判定する第４の処理部を備える第４の自動改札機とを持つことにより、利用者の利便性が向上させることができる。
【０１２０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１２１】
１…自動改札機システム、１００…コード券改札機、１１２…リーダ、１５０…制御部、１５８…画像処理部、１６０…画像判定部、１８０…コード券改札機側通信部、２００…磁気券改札機、２３２…磁気券リーダライタ、２５０…制御部、２５８…磁気処理部、２６０…磁気判定部、２８０…磁気券改札機側通信部、３００…券売機、３２５…オブジェクト発行部、３２６…磁気発行部、４００…サーバ装置、ＴＩＸ…乗車券
【図１】
0006789644.tif 000002
【図２】
0006789644.tif 000003
【図３】
0006789644.tif 000004
【図４】
0006789644.tif 000005
【図５】
0006789644.tif 000006
【図６】
0006789644.tif 000007
【図７】
0006789644.tif 000008
【図８】
0006789644.tif 000009
【図９】
0006789644.tif 000010
【図１０】
0006789644.tif 000011
【図１１】
0006789644.tif 000012
【図１２】
0006789644.tif 000013
【図１３】
0006789644.tif 000014
【図１４】
0006789644.tif 000015
【図１５】
0006789644.tif 000016
【図１６】
0006789644.tif 000017
【図１７】
0006789644.tif 000018
【図１８】
0006789644.tif 000019
【図１９】
0006789644.tif 000020